(57)【要約】  部品点数の増加を抑えながらも、レンズ鏡筒の内部に配置される基板に対して、ケーブル部材を良好にガイドすることが可能なレンズ鏡筒およびレンズ交換式カメラを提供する。  レンズ鏡筒１０は、大径部４１および該大径部４１よりも内径側に窪んでいる窪み部４２が存在する固定筒４０と、少なくとも一部が固定筒４０の外周面に沿うように取り付けられる基板７０と、固定筒４０よりも外径側に配置されると共に、固定筒４０に対して相対的に移動する移動筒５０，６０と、柔軟に変形可能な可撓性を有し、基板７０に実装される実装部１０７を備え、基板７０と固定筒５０，６０の間を通過する通過部１０５を備えるケーブル部材１００と、を備えている。
2019235296.tif 000002
【特許請求の範囲】
【請求項１】
カメラ本体に取り付けられるレンズ鏡筒であって、
大径部および該大径部よりも内径側に窪んでいる窪み部が存在する固定筒と、
少なくとも一部が前記固定筒の外周面に沿うように取り付けられる基板と、
前記固定筒に対して相対的に移動する移動筒と、
柔軟に変形可能な可撓性を有し、前記基板に実装される実装部を備え、前記基板と前記固定筒の間を通過する通過部を備えるケーブル部材と、
を備えることを特徴とするレンズ鏡筒。
【請求項２】
請求項１記載のレンズ鏡筒であって、
前記基板は、前記固定筒の前記窪み部に取り付けられている、
ことを特徴とするレンズ鏡筒。
【請求項３】
請求項１または２記載のレンズ鏡筒であって、
前記基板は、結合部材を介して前記固定筒に取り付けられていると共に、
前記結合部材は、前記ケーブル部材の前記通過部を通過させる凹形状のガイド凹部を有している、
ことを特徴とするレンズ鏡筒。
【請求項４】
請求項１から３のいずれか１項に記載のレンズ鏡筒であって、
前記ケーブル部材には、前記大径部から前記通過部に向かうにつれて前記窪み部の外周面に近接する傾斜部が設けられている、
ことを特徴とするレンズ鏡筒。
【請求項５】
請求項４記載のレンズ鏡筒であって、
前記大径部の外周面には、前記窪み部側から前記大径部側へ向かって前記ケーブル部材をガイドするガイド溝が設けられていて、該ガイド溝に前記ケーブル部材の溝配置部が配置されている、
ことを特徴とするレンズ鏡筒。
【請求項６】
請求項５記載のレンズ鏡筒であって、
前記固定筒の外径側には押さえ筒が取り付けられると共に、
前記押さえ筒は、前記窪み部に対して前記移動筒を挟んで反対側に配置されていて、
前記ケーブル部材は前記押さえ筒により前記ガイド溝への入り込みがガイドされている、
ことを特徴とするレンズ鏡筒。
【請求項７】
請求項１から６のいずれか１項に記載のレンズ鏡筒であって、
前記大径部は、前記窪み部よりも前記カメラ本体から離れる側に設けられていて、
前記ケーブル部材のうち、前記実装部と前記通過部の間の部位には、長さ調整部が設けられていて、前記長さ調整部は前記通過部に対して、前記大径部から離れる向きの付勢力を与える、
ことを特徴とするレンズ鏡筒。
【請求項８】
請求項１から７のいずれか１項に記載のレンズ鏡筒を備えると共に、該レンズ鏡筒が装着されるカメラ本体を備える、
ことを特徴とするレンズ交換式カメラ。
【発明の詳細な説明】
【技術分野】
【０００１】
本発明は、レンズ鏡筒およびレンズ交換式カメラに関する。
【背景技術】
【０００２】
カメラに設けられているレンズ鏡筒の中には、たとえば特許文献１に示すように、電気的な配線として可撓性を有する可撓性基板が内蔵されているものが存在している。特許文献１に開示の構成では、前群レンズ筒（１３）にはシャッタ保持枠（１３ｂ）が設けられている。このシャッタ保持枠（１３ｂ）にはフレキシブルプリント基板（２０）に対応した幅の凹部（２２）が設けられていて、その凹部（２２）の一端に取付台（２３）が設けられ、他端には支持突起（２４）が設けられている。これら取付台（２３）と支持突起（２４）には、押え部材（２１）が支持される。【０００３】
そして、上述したフレキシブルプリント基板（２０）は、押え部材（２１）と凹部（２２）の周囲との間の挟み込み部分で挟持される。それにより、フレキシブルプリント基板（２０）は、接着テープや接着剤を要することなく、フレキシブルプリント基板（２０）をシャッタユニット（１６）の周面に密着状態で保持することが可能となっている。
【先行技術文献】
【特許文献】
【０００４】
【特許文献１】実用新案登録公報第２５０８１０７号公報
【発明の概要】
【発明が解決しようとする課題】
【０００５】
ところで、特許文献１に開示の構成では、上述の挟み込み部分でフレキシブルプリント基板（２０）を挟持するための押え部材（２１）を別途用いる必要がある。このため、その押え部材（２１）や、固定ねじ（２５）を必要とする分だけ、部品点数が増える、という問題がある。【０００６】
また、特許文献１に開示の構成では、制御回路（２７）は、レンズ鏡筒の外部のカメラボディ側に設けられている。したがって、制御回路（２７）のような基板がレンズ鏡筒の内部に存在する基板内蔵型のレンズ鏡筒に関しては、フレキシブルプリント基板（２０）がどのように配置されるのかについて一切開示されていない。このため、基板内蔵型のレンズ鏡筒について、回転筒等のような移動筒に対して摺動しない状態で、フレキシブルプリント基板（２０）のようなケーブル部材をどのように配置するのかは不明な状態となっている。【０００７】
なお、参考までに述べると、特許文献１に開示の構成では、フレキシブルプリント基板（２０）が上述した挟み込み部分からレンズ鏡筒の外部側の制御回路（２７）に向かう際に、狭い隙間部分を通っているが、そのような構成では、カメラボディからレンズ鏡筒を交換することが不能となる。【０００８】
また、特許文献１に開示の構成では、制御回路（２７）は、固定鏡筒（１１）よりも外径側に設けられているので、フレキシブルプリント基板（２０）は、上述した挟み込み部分からレンズ鏡筒の外部側の制御回路（２７）に向かう際には、外径側に向かうようにガイドされている。しかしながら、フレキシブルプリント基板（２０）を、レンズ鏡筒の内部側から外径側にガイドする場合、そのフレキシブルプリント基板（２０）の経路が複雑になってしまう。【０００９】
また、フレキシブルプリント基板（２０）が、レンズ鏡筒の内部から外径側に向かう場合、レンズ鏡筒の回転部分や直進部分と摺動し易くなる。このような接触を防止するためには、レンズ鏡筒の駆動を考慮して、フレキシブルプリント基板（２０）の長さを適切に管理しないと、フレキシブルプリント基板（２０）の余剰部分が、上述した回転部分や直進部分と摺動してしまい、フレキシブルプリント基板（２０）の断線の原因となる。【００１０】
本発明は、かかる問題に鑑みてなされたものであり、その目的とするところは、部品点数の増加を抑えながらも、レンズ鏡筒の内部に配置される基板に対して、ケーブル部材を良好にガイドすることが可能なレンズ鏡筒およびレンズ交換式カメラを提供しよう、とするものである。
【課題を解決するための手段】
【００１１】
上記課題を解決するために、本発明の第１の観点によると、カメラ本体に取り付けられるレンズ鏡筒であって、大径部および該大径部よりも内径側に窪んでいる窪み部が存在する固定筒と、少なくとも一部が固定筒の外周面に沿うように取り付けられる基板と、固定筒に対して相対的に移動する移動筒と、柔軟に変形可能な可撓性を有し、基板に実装される実装部を備え、基板と固定筒の間を通過する通過部を備えるケーブル部材と、を備えることを特徴とするレンズ鏡筒が提供される。【００１２】
また、本発明の他の側面は、上述の発明に加えて更に、基板は、固定筒の窪み部に取り付けられている、ことが好ましい。【００１３】
また、本発明の他の側面は、上述の発明に加えて更に、基板は、結合部材を介して固定筒に取り付けられていると共に、結合部材は、ケーブル部材の通過部を通過させる凹形状のガイド凹部を有している、ことが好ましい。【００１４】
また、本発明の他の側面は、上述の発明に加えて更に、ケーブル部材には、大径部から通過部に向かうにつれて窪み部の外周面に近接する傾斜部が設けられている、ことが好ましい。【００１５】
また、本発明の他の側面は、上述の発明に加えて更に、大径部の外周面には、窪み部側から大径部側へ向かってケーブル部材をガイドするガイド溝が設けられていて、該ガイド溝にケーブル部材の溝配置部が配置されている、ことが好ましい。【００１６】
また、本発明の他の側面は、上述の発明に加えて更に、固定筒の外径側には押さえ筒が取り付けられると共に、押さえ筒は、窪み部に対して移動筒を挟んで反対側に配置されていて、ケーブル部材は押さえ筒によりガイド溝への入り込みがガイドされている、ことが好ましい。【００１７】
また、本発明の他の側面は、上述の発明に加えて更に、大径部は、窪み部よりもカメラ本体から離れる側に設けられていて、ケーブル部材のうち、実装部と通過部の間の部位には、長さ調整部が設けられていて、長さ調整部は通過部に対して、大径部から離れる向きの付勢力を与える、ことが好ましい。【００１８】
また、本発明の他の側面は、上述の各発明に係るレンズ鏡筒を備えると共に、該レンズ鏡筒が装着されるカメラ本体を備える、ことが好ましい。
【発明の効果】
【００１９】
本発明によると、部品点数の増加を抑えながらも、レンズ鏡筒の内部に配置される基板に対して、ケーブル部材を良好にガイドすることが可能なレンズ鏡筒およびレンズ交換式カメラを提供することができる。
【図面の簡単な説明】
【００２０】
【図１】本発明の一実施の形態に係るレンズ鏡筒の構成を示す斜視図である。
【図２】図１に示すレンズ鏡筒を１−１線に沿って切断した状態を示す断面図である。
【図３】図１に示すレンズ鏡筒の分解斜視図である。
【図４】本発明の一実施の形態に係るレンズ鏡筒およびレンズ交換式カメラの概要を示す模式図である。
【図５】図１に示すレンズ鏡筒が備える結合部材の構成を示す斜視図である。
【図６】図１に示すレンズ鏡筒が備える可撓性ケーブルの構成を示す斜視図である。
【図７】本発明の変形例に係るレンズ鏡筒の概要を示す図である。
【発明を実施するための形態】
【００２１】
以下、本発明の一実施の形態に係るレンズ鏡筒およびレンズ交換式カメラ１について、図面に基づいて説明する。なお、以下の説明においては、レンズ鏡筒１０の光軸Ａ１の延伸方向（Ｘ方向）において、物体側を前側（Ｘ１側）、カメラ本体２側を後側（Ｘ２側）とする。また、光軸Ａ１と直交する方向を径方向とし、光軸Ａ１から離間する側を外径側、光軸Ａ１に接近する方向を内径側とする。また、光軸Ａ１を中心とする回転方向を周方向とする。
【００２２】
［構成について］
図１は、本発明の一実施の形態に係るレンズ鏡筒１０の構成を示す斜視図である。図２は、図１に示すレンズ鏡筒１０を１−１線に沿って切断した状態を示す断面図である。図３は、図１に示すレンズ鏡筒１０の分解斜視図である。
【００２３】
図１から図３に示すように、レンズ鏡筒１０は、物体側固定筒２０と、押さえ筒３０と、像側固定筒４０と、回転枠５０と、回転カバー６０と、主基板７０と、結合部材８０と、可撓性ケーブル１００と、補助基板１１０とを主要な構成要素としている。また、図２に示すように、レンズ鏡筒１０には、レンズ枠９１〜９４を介してレンズＬ１〜Ｌ５が取り付けられている。なお、図２に示す構成では、４つのレンズ枠９１〜９４と５つのレンズＬ１〜Ｌ５が示されているが、レンズ枠およびレンズの個数は、これ以外に適宜の個数とすることが勿論可能である。
【００２４】
物体側固定筒２０は、後述する像側固定筒４０よりもカメラ本体２から離間する側に位置する筒体であり、カメラ本体２に対して非回転となっている。また、物体側固定筒２０と像側固定筒４０はビス等で固定されており、像側固定筒４０もカメラ本体２に対して非回転となっている。なお、物体側固定筒２０と像側固定筒４０との少なくとも一方の部材は、固定筒に対応する。
【００２５】
図４は、本発明の一実施の形態に係るレンズ鏡筒１０およびレンズ交換式カメラ１の概要を示す模式図である。この図４においては、レンズＬ１〜Ｌ５やカメラ本体２内部の構成の図示は省略している。なお、本実施の形態では、レンズ交換式カメラ１とは、カメラ本体２にレンズ鏡筒１０が装着されたものを指す。図４に示すように、物体側固定筒２０の外径側には、物体側回転筒１２０が配置される。物体側回転筒１２０は、たとえばフォーカス動作を行うための筒体である。しかしながら、物体側回転筒１２０は、絞り動作やズーム動作等、フォーカス動作以外の動作を行うものであっても良い。
【００２６】
このような物体側回転筒１２０の回転角度を検出するために、物体側固定筒２０と物体側回転筒１２０の間には、回転検出センサ１３０が配置されている。回転検出センサ１３０は、たとえば磁気的に回転角度を検出可能なエンコーダ等であり、その回転検出センサ１３０の回転側部材１３１（磁気円盤、マグネットバンド等）が物体側回転筒１２０の回転に伴って回転する。また、回転検出センサ１３０の固定側のセンサ素子１３２は、補助基板１１０に実装されている。この補助基板１１０には、可撓性ケーブル１００の一端側が実装されている。したがって、回転検出センサ１３０で検出された回転角度に関する電気信号は、可撓性ケーブル１００を介して主基板７０へと送信される。
【００２７】
この物体側固定筒２０には、可撓性ケーブル１００が配置されるガイド溝２１が設けられている。ガイド溝２１は、物体側固定筒２０の外周面の大径となる部分を、所定の幅だけ内径に向かうように凹ませた部分であり、補助基板１１０が配置される近傍から、その後側（Ｘ２側）に向かうように形成されている。このガイド溝２１には、可撓性ケーブル１００が配置されるが、以下の説明では、可撓性ケーブル１００のうちガイド溝２１に配置される部分を、溝配置部１０２とする（図２、図６参照）。
【００２８】
なお、溝配置部１０２はガイド溝２１の底部に対して、たとえば両面テープや接着剤等のような固着手段を介して取り付けられている。このガイド溝２１の深さは、溝配置部１０２が両面テープや接着材等のような固着手段を介してガイド溝２１の底部に貼り付けられた場合でも、溝配置部１０２がガイド溝２１から突出しないような深さとなっている。具体的には、物体側固定筒２０のうち、ガイド溝２１が形成されている外周面からのガイド溝２１の深さは、溝配置部１０２の厚みと、両面テープや接着剤等のような固着手段の厚みの合計に、所定の余裕分を加えた寸法となっている。それにより、後述する回転枠５０に対して溝配置部１０２が非接触の状態を維持可能となっている。
【００２９】
また、物体側固定筒２０のうちガイド溝２１が配置される外周面の外径側には、押さえ筒３０が配置されている。押さえ筒３０は、物体側固定筒２０の外周面の適宜の位置に、ネジ等のような固定手段を介して固定されている。この押さえ筒３０は、可撓性ケーブル１００がガイド溝２１に入り込むように、外径側から可撓性ケーブル１００を押さえる部材である。したがって、補助基板１１０から可撓性ケーブル１００に沿って後側（Ｘ２側）に向かって進行すると、押さえ筒３０によって可撓性ケーブル１００が内径側に向かうように曲げられている。それにより、可撓性ケーブル１００の溝配置部１０２が、ガイド溝２１内に位置する構成となっている。押さえ筒３０によって補助基板１１０から後側（Ｘ２側）へ向かう可撓性ケーブル１００を物体側固定筒２０の内径側へ向かう方向へガイドすることで、可撓性ケーブル１００の外径側への撓みを抑え、可撓性ケーブル１００がガイド溝２１からはみ出すことを防止している。
【００３０】
以下の説明では、可撓性ケーブル１００のうち、押さえ筒３０により物体側固定筒２０の外周面から内径側に向かうように曲げられている部分を、一端側傾斜部１０１とする（図２、図６参照）。この一端側傾斜部１０１の存在により、溝配置部１０２がガイド溝２１の内部に配置される状態となる。また、押さえ筒３０の外径側に、図示を省略する回転や光軸Ａ１に沿った直進を行う移動筒が配置されても、一端側傾斜部１０１の存在により溝配置部１０２がガイド溝２１の内部に配置されることで、上記の移動筒に対して可撓性ケーブル１００を非接触とすることが可能となっている。また、押さえ筒３０と対向するガイド溝２１に配置される溝配置部１０２が、仮に接着が剥がれてガイド溝２１の内部から外径側に飛び出してしまったとしても、押さえ筒３０が外径側に配置されていることにより、外径側へ大きく撓むことが防止される。また、押さえ筒３０により一端側傾斜部１０１をその外径側から押さえつけている。このため、ガイド溝２１よりも外径側に配置されている補助基板１１０に一端を実装されている可撓性ケーブル１００の弾性力による外径側への反発力が、押さえ筒３０と対向する溝配置部１０２に伝達されるのを抑制することで、溝配置部１０２がガイド溝２１から剥離することを防止している。
【００３１】
上述した物体側固定筒２０の後側（Ｘ２側）の端面２２には、像側固定筒４０がたとえばネジ等のような固定手段を介して固定されている。像側固定筒４０も、物体側固定筒２０と同様に、カメラ本体２に対して非回転となっている筒体である。この像側固定筒４０には、物体側フランジ部４１と、窪み部４２と、像側フランジ部４３とが設けられている。なお、この像側固定筒４０は、図示を省略するカメラ本体２側に装着される筒体であるが、その他の筒体がカメラ本体２側に装着されても良い。
【００３２】
これらのうち、物体側フランジ部４１は、窪み部４２よりも大径に設けられている。この物体側フランジ部４１には、Ｘ方向に向かって形成されたガイド孔４４が設けられている。ガイド孔４４は、上述したガイド溝２１と連通する孔部分であり、物体側フランジ部４１を貫通している。それにより、可撓性ケーブル１００は、ガイド溝２１からガイド孔４４を通って窪み部４２側へと延伸可能となっている。なお、物体側フランジ部４１を貫通するガイド孔４４ではなく、物体側フランジ部４１の外径側から内径側に向かうように物体側フランジ部４１を切り欠いた切欠部を形成し、その切欠部に可撓性ケーブル１００を挿通させる構成としても良い。ガイド孔４４を採用する場合、そのガイド孔４４の外径側に位置する内周面により、可撓性ケーブル１００のガイド孔４４よりも後側（Ｘ２側）が外径側に撓んだとしても、その撓みの影響がガイド孔４４よりも前側（Ｘ１側）に伝わることを抑制可能となる。以下の説明では、可撓性ケーブル１００のうちガイド孔４４を通過する部分をガイド孔通過部１０３とする（図２、図６参照）。また、可撓性ケーブル１００のうち、ガイド孔４４付近から窪み部４２の外周面４２ａに向かうように内径側に向かうように曲げられている部分を内径側傾斜部１０４とする。この内径側傾斜部１０４は、傾斜部に対応する。この内径側傾斜部１０４により、可撓性ケーブル１００を大径部の一部である物体側フランジ部４１よりも内径側へ向かわせることで、ガイド孔４４よりも前側（Ｘ１側）の可撓性ケーブル１００が撓み等で外径側へ向かうことを抑制可能としている。
【００３３】
また、窪み部４２は、物体側フランジ部４１および像側フランジ部４３よりも小径に設けられている部分である。具体的には、後述する主基板７０を窪み部４２の外径側に配置した場合でも、その主基板７０の外周縁部が物体側フランジ部４１の外周縁部が光軸中心から同程度の位置（半径位置）に位置するか、または主基板７０の外周縁部が物体側フランジ部４１の外周縁部よりも内径側に位置するように、窪み部４２が物体側フランジ部４１および像側フランジ部４３よりも窪んでいる。なお、物体側フランジ部４１および像側フランジ部４３の少なくとも一方は、大径部に対応する。主基板７０の外周縁部の光軸中心からの位置（距離）が、物体側フランジ部４１の外周縁部の光軸中心からの位置（距離）よりも内径側に配置されることにより、径方向における小型化が可能となり、外装筐体に主基板７０に応じた凸部等を形成する必要がなくなる。
【００３４】
また、図１および図２に示す回転枠５０は、絞りを動作させるために、物体側固定筒２０に対して回転可能な筒体であり、物体側固定筒２０の外径側に配置されている。しかしながら、回転枠５０は、フォーカス動作やズーム動作等、絞り動作以外の動作を行うものであっても良い。なお、回転枠５０は、移動筒に対応する。
【００３５】
この回転枠５０は、押さえ筒３０よりも後側（Ｘ２側）に配置されると共に、ガイド溝２１の一部と対向するように設けられている。ただし、上述のように、物体側固定筒２０のうち、ガイド溝２１が形成されている外周面からのガイド溝２１の深さは、溝配置部１０２の厚みと、両面テープや接着剤等のような固着手段の厚みの合計に、所定の余裕分を加えた寸法となっている。したがって、回転枠５０は、ガイド溝２１内に配置された可撓性ケーブル１００の溝配置部１０２に対して非接触となっている。そのため、回転枠５０が回転しても、該回転枠５０と溝配置部１０２とが摺動しない状態となっている。回転枠５０が押さえ筒３０よりも後側（Ｘ２側）に配置されることにより、一端側傾斜部１０１と回転枠５０とをＸ方向で離間させることが可能となり、一端側傾斜部１０１と回転枠５０とが接触することを防止できる。
【００３６】
また、図１および図２に示すように、回転カバー６０は、その前側（Ｘ１側）が回転枠５０の外径側の一部に対して当接している。また、回転カバー６０の後側（Ｘ２側）は、物体側フランジ部４１および窪み部４２の外径側に、それぞれ非接触の状態で配置されているが、物体側フランジ部４１の外径側の全体は覆うように配置されているものの、窪み部４２の外径側は、その一部のみを覆うように配置されている。この回転カバー６０は、回転枠５０に対して、たとえばネジ等のような固定手段を介して取り付けられている。したがって、回転カバー６０は、回転枠５０の回転に伴って、回転枠５０と共に一体的に回転する。
【００３７】
なお、回転枠５０および回転カバー６０のうちの少なくとも一方は、移動筒に対応する。
【００３８】
また、主基板７０（基板に対応）は、像側固定筒４０の窪み部４２に配置されている。図３に示すように、主基板７０は、窪み部４２の外周面４２ａの周方向の形状に沿った略半円の円弧をなすように設けられている。この主基板７０の後側（Ｘ２側）の面には、可撓性ケーブル１００の他端側が実装されている。以下の説明では、可撓性ケーブル１００のうち主基板７０に実装されている部分を実装部１０７とする。また、可撓性ケーブル１００のうち、通過部１０５と実装部１０７の間に存在する部分であり、通過部１０５から外径側に向かうように曲げられている部分を、長さ調整部１０６とする（図２、図６参照）。
【００３９】
上述した主基板７０は、結合部材８０を介して窪み部４２に取り付けられている。図５は、結合部材８０の構成を示す斜視図である。図５に示すように、結合部材８０には、円弧状部８１と、基板固定部８２と、取付孔８３と、挿通孔８４と、ガイド凹部８５とが設けられている。円弧状部８１は、主基板７０と同様に略半円の円弧をなすように設けられている部分である。しかしながら、円弧状部８１を含めた結合部材８０には可撓性ケーブル１００の他端側等を実装する必要がない。このため、結合部材８０の径方向の寸法は、主基板７０よりも小さく設けられている。
【００４０】
この円弧状部８１には、径方向に沿うように取付孔８３が設けられている。取付孔８３は、ネジ等のような固定手段を挿通させる孔部分であり、取付孔８３に挿通されたネジ等の固定手段は、窪み部４２の外周面４２ａから内径側に向かうように形成されたネジ穴（図示省略）に捻じ込まれる。それにより、結合部材８０は窪み部４２に取り付けられる。
【００４１】
また、基板固定部８２は、主基板７０を取付固定するための部分であり、円弧状部８１から外径側に突出するように設けられている。この基板固定部８２には、光軸Ａ１方向に沿うように挿通孔８４が設けられている。挿通孔８４は、ネジ等のような固定手段を挿通させる孔部分であり、挿通孔８４に挿通されたネジ等の固定手段は、主基板７０に捻じ込まれたり、主基板７０の前側（Ｘ１側）の面に配置されたナット等の固定手段に捻じ込まれることで、結合部材８０に対して主基板７０を固定する。なお、図３に示す構成では、基板固定部８２（挿通孔８４）および取付孔８３は、それぞれ３つずつ設けられている。しかしながら、基板固定部８２（挿通孔８４）および取付孔８３の個数は幾つ設けられていても良い。
【００４２】
なお、基板固定部８２に主基板７０が固定された状態で、結合部材８０が窪み部４２に取り付けられた際に、窪み部４２の外周面と主基板７０との間の少なくとも一部には隙間が存在することが好ましい。隙間の存在により、ガイド凹部８５から像側固定筒４０の物体側フランジ部４１に形成されるガイド孔４４へ向かう可撓性ケーブル１００と主基板７０との干渉を防止することが可能となる。この隙間は、結合部材８０のガイド凹部８５のように主基板７０の内径側の端部の一部を外径側へと切り欠いても良く、主基板７０の内径側の端部全体と窪み部４２の外周面との間に一定の間隔が形成されるように、結合部材８０に主基板７０を固定しても良い。
【００４３】
また、円弧状部８１の内周面側には、ガイド凹部８５が設けられている。ガイド凹部８５は、可撓性ケーブル１００が位置する部分であり、内径側から外径側に向かうように円弧状部８１の内周面を所定だけ凹ませた部分である。それにより、結合部材８０を窪み部４２にネジ等の固定手段で固定した場合に、円弧状部８１の内周面側を可撓性ケーブル１００が通過するスペースを確保することができる。具体的には、ガイド孔４４から後側（Ｘ２側）へ延ばされた可撓性ケーブル１００の他端側は、窪み部４２の外周面４２ａへ向かって内径側に落ち込むように折り曲げられた内径側傾斜部１０４を形成する。窪み部４２の外周面４２ａと近接した内径側傾斜部１０４の後側（Ｘ２側）の端部は、主基板７０と外周面４２ａの間を通され、さらに結合部材８０のガイド凹部８５と外周面４２ａの間を通される。可撓性ケーブル１００（内径側傾斜部１０４）が結合部材８０と外周面４２ａの間に挟み込まれた状態で、可撓性ケーブル１００の他端側の実装部１０７と主基板７０の後側（Ｘ２側）の面に配置される電気的接続部とを電気的に接続してから、結合部材８０を窪み部４２に固定する。上記構成により、可撓性ケーブル１００を結合部材８０と窪み部４２の外周面４２ａとの間で挟み込んで位置決めおよび固定を行いつつ、内径側傾斜部１０４が外径側へ撓むことを防止する。以下の説明では、可撓性ケーブル１００のうち、主基板７０の内周面側および結合部材８０のガイド凹部８５を通過する部分を、通過部１０５とする。
【００４４】
この通過部１０５から主基板７０と電気的に接続される実装部１０７までの間には、可撓性ケーブル１００が外径側に向かうように曲げられた長さ調整部１０６が配置されている。
【００４５】
図６は、可撓性ケーブル１００の構成を示す斜視図である。この可撓性ケーブル１００は、湾曲させる等の変形を容易に行う可能な（可撓性を有する）ケーブルや基板であり、たとえばＦＦＣ（flexible flat cable）やＦＰＣ（Flexible printed circuits）のような偏平状の導電体が該当する。しかしながら、偏平状の導電体以外に、絶縁部材で覆われた被覆線等がケーブル部材に該当するものとしても良い。この可撓性ケーブル１００は、可撓性を備えているため、後述するガイド溝２１に這わせたり、外周面４２ａに向かうように曲げることが可能となっている。なお、可撓性ケーブル１００は、ケーブル部材に対応する。また、可撓性ケーブル１００は１つには限られず、２つ以上存在しても良い。
【００４６】
また、可撓性ケーブル１００には、上述したような一端側傾斜部１０１と、溝配置部１０２と、ガイド孔通過部１０３と、内径側傾斜部１０４と、通過部１０５と、長さ調整部１０６と、実装部１０７とが設けられている。一方、図４に示す補助基板１１０は、湾曲させる等の変形を容易には行えないリジットの基板である。しかしながら、補助基板１１０は、ＦＰＣ等の可撓性を有する基板を用いるようにしても良い。
【００４７】
以上のような構成のレンズ鏡筒１０においては、可撓性ケーブル１００は、その一端側が補助基板１１０に実装され、そこから押さえ筒３０によって可撓性ケーブル１００が内径側に向かうように曲げられているが、この部分が一端側傾斜部１０１となっている。さらに、可撓性ケーブル１００の溝配置部１０２は、ガイド溝２１の内部に配置されている。この溝配置部１０２では、可撓性ケーブル１００は、回転枠５０および回転カバー６０と非接触の状態となっている。さらに可撓性ケーブル１００に沿って他端側に進行すると、可撓性ケーブル１００はガイド孔通過部１０３に差し掛かって、像側固定筒４０のガイド孔４４を通過する。
【００４８】
また、可撓性ケーブル１００の他端側に向かって進行すると、ガイド孔４４付近からは窪み部４２の外周面４２ａに向かうように内径側に向かうように曲げられている内径側傾斜部１０４に到達する。この内径側傾斜部１０４からさらに可撓性ケーブル１００の他端側に向かって進行すると、可撓性ケーブル１００は窪み部４２の外周面４２ａに接触する状態で、主基板７０の内周面を通過し、さらに結合部材８０のガイド凹部８５を通過する通過部１０５に到達する。
【００４９】
この通過部１０５からさらに可撓性ケーブル１００の他端側に向かうと、可撓性ケーブル１００は外径側に向かうように曲げられた長さ調整部１０６に到達する。この長さ調整部１０６では、可撓性ケーブル１００の長さ調整が可能となっている。すなわち、可撓性ケーブル１００の長さが十分に長い場合には、長さ調整部１０６の長さも長くなるが、この場合には、長さ調整部１０６の曲率半径が大きくなるように可撓性ケーブル１００が曲げられたり、長さ調整部１０６を側面視した場合にたとえば略Ｍ字を描くように曲げられる。一方、可撓性ケーブル１００の長さがさほど長くない場合には、長さ調整部１０６の長さは、上記の場合よりも短くなり、たとえば長さ調整部１０６の曲率半径が小さくなるように可撓性ケーブル１００が曲げられる。長さ調整部１０６により、可撓性ケーブル１００の長さに余裕があったとしても、撓みや外径側への膨らみの発生を抑制することが可能となる。
【００５０】
なお、長さ調整部１０６の外径側には、回転カバー６０等のような回転やスライドを行う筒体は可撓性ケーブル１００と対向配置されていない。したがって、長さ調整部１０６が外径側に大きく突出しても、長さ調整部１０６は、回転やスライドを行う筒体とは摺動しない状態となっている。かかる長さ調整部１０６からさらに可撓性ケーブル１００の他端側に向かうと、可撓性ケーブル１００の一端部に到達し、その一端部は、主基板７０に実装された実装部１０７となっている。
【００５１】
［効果について］
以上のような構成のレンズ鏡筒１０およびレンズ交換式カメラ１は、カメラ本体２に取り付けられるレンズ鏡筒１０であるが、物体側フランジ部４１（および／または像側フランジ部４３；大径部）および物体側フランジ部４１（および／または像側フランジ部４３；大径部）よりも内径側に窪んでいる窪み部４２が存在する像側固定筒４０（固定筒）と、少なくとも一部が像側固定筒４０（固定筒）の外周面４２ａに沿うように取り付けられる主基板７０（基板）と、像側固定筒４０（固定筒）に対して相対的に移動する回転枠５０（移動筒）および回転カバー６０（移動筒）と、柔軟に変形可能な可撓性を有し、主基板７０（基板）に実装される実装部１０７を備えている。また、レンズ鏡筒１０は、主基板７０（基板）と像側固定筒４０（固定筒）の間を通過する通過部１０５を備える可撓性ケーブル１００（ケーブル部材）と、を備えている。
【００５２】
このような構成によると、可撓性ケーブル１００は通過部１０５を備え、その通過部１０５は主基板７０（基板）と像側固定筒４０（固定筒）の間を通過しているので、通過部１０５においては、可撓性ケーブル１００（ケーブル部材）が外径側の回転枠５０側（移動筒側）および回転カバー６０側（移動筒側）に移動するのが抑制される。そのため、部品点数の増加を抑えながらも、レンズ鏡筒１０の内部に配置される主基板７０（基板）に対して、ケーブル部材を良好にガイドすることが可能となる。また、可撓性ケーブル１００（ケーブル部材）が回転枠５０（移動筒）および回転カバー６０（移動筒）と接触するのを防止可能となる。また、主基板７０（基板）と可撓性ケーブル１００（ケーブル部材）との実装部位に、抜け方向の力が加わるのを防止することができる。
【００５３】
また、本実施の形態では、主基板７０（基板）は、像側固定筒４０（固定筒）の窪み部４２に取り付けられている。このため、主基板７０を窪み部４２に取り付けない場合と比較して、レンズ鏡筒１０の小径化を図ることが可能となる。
【００５４】
また、本実施の形態では、主基板７０（基板）は、結合部材８０を介して像側固定筒４０（固定筒）に取り付けられている。これと共に、結合部材８０は、可撓性ケーブル１００（ケーブル部材）の通過部１０５を通過させるガイド凹部８５を有している。
【００５５】
このため、可撓性ケーブル１００（ケーブル部材）は、ガイド凹部８５を通過させることで、結合部材８０と可撓性ケーブル１００（ケーブル部材）とが干渉するのを防止可能となる。また、結合部材８０で可撓性ケーブル１００（ケーブル部材）を抑えることで、可撓性ケーブル１００（ケーブル部材）が外径側の回転枠５０側（移動筒側）および回転カバー６０側（移動筒側）に移動するのが抑制可能となる。
【００５６】
また、本実施の形態では、可撓性ケーブル１００（ケーブル部材）には、物体側フランジ部４１（および／または像側フランジ部４３；大径部）から通過部１０５に向かうにつれて像側固定筒４０（固定筒）の外周面４２ａに近接する内径側傾斜部１０４（傾斜部）が設けられている。
【００５７】
このため、可撓性ケーブル１００（ケーブル部材）に沿ってガイド孔通過部１０３から通過部１０５に向かうにつれて、可撓性ケーブル１００（ケーブル部材）は、外径側の回転枠５０（移動筒）および回転カバー６０（移動筒）から遠ざかるので、これら移動筒に可撓性ケーブル１００（ケーブル部材）が接触するのを良好に防止可能となる。
【００５８】
また、本実施の形態では、像側固定筒４０（固定筒）のうち窪み部４２から離れる側には、可撓性ケーブル１００（ケーブル部材）をガイドするガイド溝２１が設けられていて、該ガイド溝２１に可撓性ケーブル１００（ケーブル部材）の溝配置部１０２が配置されている。
【００５９】
このように、一端側傾斜部１０１がガイド溝２１に配置されることで、可撓性ケーブル１００（ケーブル部材）が、外径側の回転枠５０（移動筒）および回転カバー６０（移動筒）と干渉するのを防止可能となる。
【００６０】
また、本実施の形態では、像側固定筒４０（固定筒）の外径側には押さえ筒３０が取り付けられている。また、押さえ筒３０は、ガイド溝２１のうち窪み部４２から離間する他端側に配置されていて、可撓性ケーブル１００（ケーブル部材）は押さえ筒３０によりガイド溝２１への入り込みがガイドされている。
【００６１】
このため、可撓性ケーブル１００（ケーブル部材）がガイド溝２１に入り込むのを良好にガイド可能となる。また、可撓性ケーブル１００（ケーブル部材）が外径側に突出するのを抑えることが可能となる。
【００６２】
また、本実施の形態では、物体側フランジ部４１（大径部）は、窪み部４２よりもカメラ本体２から離れる側に設けられている。また、可撓性ケーブル１００（ケーブル部材）のうち、実装部１０７と通過部１０５の間の部位には、長さ調整部１０６が設けられていて、該長さ調整部１０６は通過部１０５に対して、物体側フランジ部４１（大径部）から離れる向きの付勢力を与えている。
【００６３】
このため、長さ調整部１０６の有するバネ性により、通過部１０５が物体側フランジ部４１（大径部）から離間する向きに引っ張られるので、内径側傾斜部１０４が外径側に突出するように曲がるのを防止可能となる。
【００６４】
また、本実施の形態のレンズ交換式カメラ１は、上述したレンズ鏡筒１０を備えると共に、このレンズ鏡筒１０が装着されるカメラ本体２を備えている。このため、レンズ交換式カメラ１においても、可撓性ケーブル１００（ケーブル部材）が外径側の回転枠５０側（移動筒側）および回転カバー６０側（移動筒側）に移動するのが通過部１０５で抑制される。そのため、部品点数の増加を抑えながらも、レンズ鏡筒１０の内部に配置される主基板７０（基板）に対して、ケーブル部材を良好にガイドすることが可能となる。また、可撓性ケーブル１００（ケーブル部材）が回転枠５０（移動筒）および回転カバー６０（移動筒）と接触するのを防止可能となる。また、主基板７０（基板）と可撓性ケーブル１００（ケーブル部材）との実装部位に、抜け方向の力が加わるのを防止することができる。
【００６５】
［変形例］
以上、本発明の一実施の形態について説明したが、本発明はこれ以外にも種々変形可能となっている。以下、それについて述べる。
【００６６】
上述の実施の形態においては、ケーブル部材に対応する可撓性ケーブル１００は、補助基板１１０から主基板７０に向かうように延伸している。しかしながら、可撓性ケーブルは、このような構成には限られない。すなわち、図７に示すような構成であれば、どのようなものであっても良い。なお、図７に示すレンズ鏡筒１０Ａにおいては、像側固定筒４０のような固定筒４０Ａが存在し、その固定筒４０Ａには物体側フランジ部４１のような大径部４１Ａと窪み部４２Ａが存在する。また、基板７０Ａは、少なくとも一部が固定筒４０Ａの外周面４２Ａ１に沿うように取り付けられている。さらに、移動筒５０Ａは、固定筒４０Ａよりも外径側に配置されると共に、固定筒４０Ａに対して相対的に移動する。また、ケーブル部材１００Ａは、柔軟に変形可能な可撓性を有し、基板７０Ａに実装される実装部１０７Ａを備え、基板７０Ａと固定筒４０Ａの間を通過する通過部１０５Ａを備えている。さらに、レンズ鏡筒１０Ａは、結合部材８０と同様の結合部材８０Ａを備えても良い。
【００６７】
また、上述の実施の形態では、レンズ鏡筒１０は、カメラ本体２のような撮像装置に装着され、該レンズ鏡筒１０がカメラ本体２に装着されるとレンズ交換式カメラ１を構成するものとしている。しかしながら、レンズ鏡筒１０は、レンズ交換が不能なカメラ本体に取り付けられるものであっても良い。また、レンズ鏡筒１０は、たとえばプロジェクタ装置等のような投影装置等、別途の光学装置に対して装着されても良い。
【００６８】
また、上述の実施の形態では、固定筒としての像側固定筒４０について説明している。しかしながら、固定筒は像側固定筒４０には限られない。たとえば、図１や図２に示す構成において、カメラ本体２側に物体側固定筒２０に対応する固定筒を設けるようにしても良い。
【００６９】
また、上述の実施の形態では、移動筒としての回転枠５０や回転カバー６０について説明している。しかしながら、移動筒は回転枠５０や回転カバー６０には限られなく、移動を行う別途の筒体を移動筒としても良い。
【００７０】
また、上述の実施の形態では、移動筒に対応する回転枠５０および回転カバー６０は、回転を行うものとしている。しかしながら、回転枠５０および回転カバー６０は、光軸Ａ１方向に沿ってスライドする構成であっても良い。また、回転枠５０および回転カバー６０に代えて、スライドのみを行う筒体（枠状の部材を含む）を、移動筒としても良い。
【００７１】
また、上述の実施の形態では、レンズ鏡筒１０は結合部材８０を備えていて、この結合部材８０を介して窪み部４２の外周面４２ａに主基板７０（基板）を取り付けている。しかしながら、レンズ鏡筒１０は、結合部材８０を省略する構成を採用しても良い。たとえば、外周面４２ａから径方向に突出する突出部分を設ける。そして、その突出部分に光軸Ａ１方向に沿う貫通孔を設け、その貫通孔にネジ等を挿入する等によって、突出部分を介して主基板７０（基板）を窪み部４２に固定するようにしても良い。
【００７２】
また、上述の実施の形態では、移動筒に対応する回転枠５０および回転カバー６０は、固定筒に対応する像側固定筒４０よりも外径側に配置されている。しかしながら、移動筒は、固定筒よりも内径側に配置される構成を採用しても良い。この場合には、移動筒の光軸Ａ１方向の両端側に、固定筒の外周面から外径側に突出する突出支持部を設ける。そして、その突出支持部にて、移動筒よりも外径側にケーブル部材が延伸する状態で、該ケーブル部材を支持する。このように構成すれば、移動筒に対し非接触の状態で、該移動筒よりも外径側でケーブル部材を支持することが可能となる。
【符号の説明】
【００７３】
１…レンズ交換式カメラ、２…カメラ本体、１０，１０Ａ…レンズ鏡筒、２０…物体側固定筒（固定筒に対応）、２１…ガイド溝、２２…端面、３０…押さえ筒、４０，４０Ａ…像側固定筒（固定筒に対応）、４１…物体側フランジ部（大径部に対応）、４１Ａ…大径部、４２，４２Ａ…窪み部、４２ａ，４２Ａ１…外周面、４３…像側フランジ部、４４…ガイド孔、５０…回転枠（移動筒に対応）、５０Ａ…移動筒、６０…回転カバー（移動筒に対応）、７０，７０Ａ…主基板（基板に対応）、８０，８０Ａ…結合部材、８１…円弧状部、８２…基板固定部、８３…取付孔、８４…挿通孔、８５…ガイド凹部、９１〜９４…レンズ枠、１００…可撓性ケーブル（ケーブル部材に対応）、１００Ａ…ケーブル部材、１０１…一端側傾斜部、１０２…溝配置部、１０３…ガイド孔通過部、１０４…内径側傾斜部（傾斜部に対応）、１０５，１０５Ａ…通過部、１０６…長さ調整部、１０７，１０７Ａ…実装部、１１０…補助基板、１２０…物体側回転筒、１３０…回転検出センサ、１３１…回転側部材、１３２…センサ素子、Ａ１…光軸、Ｌ１〜Ｌ５…レンズ
【図１】
2019235296.tif 000003
【図２】
2019235296.tif 000004
【図３】
2019235296.tif 000005
【図４】
2019235296.tif 000006
【図５】
2019235296.tif 000007
【図６】
2019235296.tif 000008
【図７】
2019235296.tif 000009
【国際調査報告】
2019235296.tif 000010
2019235296.tif 000011
2019235296.tif 000012